【事件の表示】
　昭和６２年　特　許　願　第１８５６３１号「サテライトＴＶ放送録画装置」拒絶査定に対する審判事件（昭和６３年４月４日出願公開、特開昭６３−　７３７７９）について、次のとおり審決する。
【結論】
　本件審判の請求は、成り立たない。
【理由】
１．手続きの経緯・本願発明の要旨
　本願は、昭和６２年７月２７日（パリ条約による優先権主張１９８６年７月２７日、ドイツ連邦共和国）の出願であって、その発明の要旨は、平成８年６月３日付けの手続補正書により補正された明細書及び図面の記載からみて、その特許請求の範囲の第１項に記載された次のとおりのものと認める。
「１．サテライトテレビジョン（ＴＶ）信号をプロセスするサテライト受信機と、
　該サテライトテレビジョン信号を録画するビデオレコーダと、
　該ビデオレコーダを制御する記憶装置で、録画すべき放送のデータを記憶する記憶装置とを有するサテライトＴＶ放送録画装置において、
　前記記憶装置は、記録すべき放送の開始時より所定の時間間隔だけ前に制御信号を発生する如く構成されており、この制御信号は前記サテライト受信機に供給される構成となっていて、サテライト受信機はこの制御信号に応答して、次の各作動を行うこと、すなわち、
（ａ）サテライト受信機自体をスイッチ・オン状態にスイッチ・オンする。
（ｂ）記録すべきサテライト放送にサテライト受信機を同調させる。
　さらに前記記憶装置は、放送終了後に第２制御信号を発生する構成となっており、これに応答してサテライト受信機は、次の何れかの動作を行うこと、すなわち、
（ａ）スイッチ・オフまたはスタンバイモードにスイッチする。
（ｂ）次に記録すべき他のサテライト放送プログラムに同調する。
の構成を有してなることを特徴とするサテライトＴＶ放送録画装置。」
２．引用例の記載
　これに対して、原査定の拒絶の理由に引用した特開昭５８−１３７３３４号公報（以下、引用例１という）、実願昭５２−１１４８４３号（実開昭５４−４０１０８号）のマイクロフィルム（以下、引用例２という）には、それぞれ、下記の事項が記載されている。
［引用例１］（特開昭５８−１３７３３４号公報）「第１図は本発明の放送番組抽出処理装置の一実施例を示すブロック図である。この例はテレビ放送を例にしたものであって、図中、１は番組情報処理装置である。２は番組内容識別コードの指定や検索処理の指定等を行うキーボード、３は番組データを記憶するためのデータ記憶部、４は現在の日付及び時刻データを発生する時計部、５は番組データ信号６の入力部、７はマイクロコンピュータで、入力部５に入力された番組データ６をデータ記憶部３に記憶させると共に、キーボード２から入力される番組内容識別コードや検索モードの指定に基づいて、データ記憶部３に記憶された番組データ６を検索し、検索処理した出力データ８及び制御信号９を出力部１０に出力する。この時、マイクロコンピュータ７による検索処理に際して、常時時計部４から入力される現在時刻データ４’と検索した出力データ８とがマイクロコンピュータ７にて比較・検討され、それに基づいて制御信号９が出力される。出力部１０には信号増幅部を始め、出力部１０に接続する外部装置に対応した各種駆動回路及び制御回路等が設けられる。前記外部装置としてはテレビ受像機１１やＶＴＲ１２等が接続され、検索された出力データ８のテレビ受像機１１による内容表示や、ＶＴＲ１２の電源ＯＮ−ＯＦＦ、チャンネル選択、録画スタート、ストップ等の制御がなされる。」（第２頁左下欄第２行〜右下欄第７行）
「又、ＶＴＲ１２を検索出力した前記出力データ８及び制御信号９によって制御し、番組内容指定による自動録画を行う際は、マイクロコンピュータ７において検索され、番組内容指定コードの一致により抽出された前記番組データ６群のデータが解読されて、放映日及び放映開始時刻、放映終了時刻等が時計部４から入力された現在の日、時データと逐一比較される。その結果、一致した日、時に放映チャンネルの選局指令や録画スタート、録画ストップ等の制御信号９がＶＴＲ１２に印加され、番組内容を指定したテレビ番組が自動録画されるものである。」（第３頁右上欄第１７行〜左下欄第８行）
［引用例２］（実願昭５２−１１４８４３号（実開昭５４−４０１０８号）のマイクロフィルム）ＶＴＲにおいて、タイマーにより予め設定された時刻に記録を行う場合に、上記設定時刻に先行する所定の時刻に所定の回路を動作させるようにしたものにおいて、
「タイマーにより予め設定された時刻にテレビジョン信号を記録するようにしたＶＴＲにおいては、設定時刻になって電源が投入されてから動作が安定するまでいわゆる立ち上がり時間を要する回路が種々あるため、実際には設定時刻を若干過ぎてから正常な記録が行われることになる」（第１頁第２０行〜第２頁第５行）ため、
「上記の状態からさらに時間が経過して設定時刻より３秒前になると、比較器（３）の２つの比較入力が一致してこの比較器（３）から信号が出力される。これによってスイッチ回路（１４）（１５）（１７）が閉ざされる。この結果記録アンプ（１９）、ドラムサーボ回路（２０）及びＥＴチューナ回路（２２）に電源電圧が加えられ、これらの回路の動作が立上り始める。」（第８頁第４行〜第１０行）
３．対比・判断
　本願の発明（以下、前者という）と上記引用例１記載のもの（以下、後者という）を比較すると、両者は、いずれも所望のテレビジョン放送を予約して録画可能とするものであって、後者の「ＶＴＲ１２」、放映日及び放映開始時刻、放映終了時刻等からなる「番組データ６」、「番組情報処理装置１」、出力部１０より出力される「制御信号９」は、それぞれ、前者の「ビデオレコーダ」、「録画すべき放送のデータ」、「記憶装置」、「制御信号」と「第２制御信号」に対応しており、引用例１のＶＴＲ１２は、制御信号９により、電源ＯＮ−ＯＦＦ、チャンネル選択、録画スタート、ストップ等の制御が行われるものである。
　また、ＶＴＲ１２は、制御信号９の放映チャンネルの選局指令が入力されることにより、指定されたチャンネルを録画するものであるから、テレビジョン信号をプロセスし、指定された放送に同調するチューナ、または、受信機を有しているものと認められる。
　したがって、両者は、「テレビジョン（ＴＶ）信号をプロセスする受信機と、
　該テレビジョン信号を録画するビデオレコーダと、
　該ビデオレコーダを制御する記憶装置で、録画すべき放送のデータを記憶する記憶装置とを有するＴＶ放送録画装置において、
　前記記憶装置は、記録すべき放送の開始時に制御信号を発生する如く構成されており、この制御信号は前記受信機に供給される構成となっていて、受信機はこの制御信号に応答して、次の各作動を行うこと、すなわち、
（ａ）受信機自体をスイッチ・オン状態にスイッチオンする。
（ｂ）記録すべき放送に受信機を同調させる。
　さらに前記記憶装置は、放送終了後に第２制御信号を発生する構成となっており、これに応答して受信機は、次の動作を行うこと、すなわち、
（ａ）スイッチ・オフにスイッチする。
の構成を有してなるＴＶ放送録画装置。」
である点で一致し、
以下の各点で相違している。
［相違点１］：
　前者は、録画するテレビジョン信号を「サテライトテレビジョン信号」として、「サテライトテレビジョン信号」を「サテライト受信機」がプロセスし、「ビデオレコーダ」が録画するとしているのに対して、後者は、録画されるのは「希望する内容のテレビ番組」であり、「サテライトテレビジョン信号」と、それを受信する「サテライト受信機」について記載されていない点。
［相違点２］：
　前者は、制御信号を「記録すべき放送の開始時より所定の時間間隔だけ前に」発生するとしているのに対して、後者は、「現在の日、時と逐一比較され」、「一致した日、時」に制御信号９が印加される点。
　上記相違点について検討する。
［相違点１について］：
　サテライトテレビジョン信号を受信し、制御信号により選局可能なサテライト受信機は、例えば実願昭５５−１５３２７７号（実開昭５７−７４５６０号公報）のマイクロフィルム、特開昭６１−５８３３０号公報等に記載されているように周知のものであり、引用例１記載のものにおいて、録画するテレビジョン信号が、サテライトＴＶ放送である場合に、このようなサテライト受信機を用いること、そして、制御信号を用いて、サテライト受信機の電源のＯＮ−ＯＦＦや選局等の制御を行うよう構成することは、当業者が必要に応じて容易に行いうるものと認める。
［相違点２について］：
　上記引用例２の「予め設定された時刻にテレビジョン信号を記録するようにしたＶＴＲにおいては、設定時刻になって電源が投入されてから動作が安定するまでいわゆる立ち上がり時間を要する回路が種々あるため、実際には設定時刻を若干過ぎてから正常な記録が行われることになる」ため、「設定時刻より３秒前になると」、「・・・及びＥＴチューナ回路（２２）に電源電圧が加えられ、これらの回路の動作が立ち上がり始める」の記載に基づいて、引用例１のものにおいて、録画のための「制御信号９」を「記録すべき放送の開始時より所定の時間間隔だけ前に」発生することは、当業者が容易に行いうるものと認める。
４．むすび
　したがって、本願の発明は、上記引用例１、２に記載された発明に基づいて当業者が容易に発明をすることができたものであるから、特許法第２９条第２項の規定により特許を受けることができない。
　よって、結論のとおり審決する。